(57)【要約】【課題】取水状況の変化に対する十分な応答性を備えた取水設備を提供する。【解決手段】本発明に係る取水設備１００は、水を貯留可能な取水槽１と、該取水槽１に外部の水を導入し、上流側から下流側に向かって流通させる取水路２と、駆動することで取水槽１から水を排出するポンプ３と、取水路２の流路断面積を調整する調整部４と、ポンプ３の駆動停止に連動して、流路断面積が小さくなるように調整部４を駆動させる連動部５と、を備えている。【選択図】図１
2016156168.tif 000002
【特許請求の範囲】
【請求項１】
水を貯留可能な取水槽と、
該取水槽に外部の水を導入し、上流側から下流側に向かって流通させる取水路と、
駆動することで前記取水槽から水を排出するポンプと、
前記取水路の流路断面積を調整する調整部と、
前記ポンプの駆動停止に連動して、前記流路断面積が小さくなるように前記調整部を駆動させる連動部と、
を備える取水設備。
【請求項２】
前記調整部は、
前記取水路の上下流方向と交差する面に沿って、自重によって移動可能に支持される仕切板と、
前記移動方向における任意の位置で前記仕切板を係止することで係止状態とする第一係止部と、
を備え、
前記連動部は、前記ポンプの駆動停止に連動して、前記第一係止部における前記係止状態を解除する請求項１に記載の取水設備。
【請求項３】
前記調整部は、
前記取水路の上側に設けられて、該取水路の上下流方向と交差する幅方向に延びる回転軸と、
前記回転軸回りに回動可能に支持されて、前記取水路内に延びる板状をなすとともに、水圧を受ける受圧面を有し、前記受圧面が上流側を向くことで水圧を受ける受圧位置と、前記受圧面が前記上下流方向に延びる非受圧位置との間で遷移可能な回転弁と、
前記回転弁を、前記非受圧位置で係止することで係止状態とする第二係止部と、
を備え、
前記連動部は、前記ポンプの駆動停止に連動して、前記第二係止部における前記係止状態を解除する請求項１に記載の取水設備。
【請求項４】
前記連動部は、
前記取水槽と前記調整部とを連通することで、該調整部に前記取水槽の水を導く、前記取水路とは異なる連動流路を有し、
前記調整部は、
前記取水路に設けられて、該取水路中に出没可能なフラップと、
前記連動流路を介して伝わる水圧を受けるとともに、該水圧によって前記フラップを駆動する受圧駆動部と、
を有し、
前記受圧駆動部は、予め定められた基準水圧以上の水圧を受けた場合に、前記フラップを駆動する請求項１に記載の取水設備。
【発明の詳細な説明】
【技術分野】
【０００１】
本発明は、取水設備に関する。
【背景技術】
【０００２】
例えば火力発電プラントのように、蒸気タービンへの給水や、各装置の冷却水として大量の水を使用する設備では、取水設備を介して海洋や河川から水を導入している。このような取水設備の一例として、下記特許文献１に記載されたものが知られている。
【０００３】
特許文献１に記載された取水・排水装置は、海岸付近に設けられて、海側、及び岸側のそれぞれに水域を形成する仕切体と、この仕切体を貫通することでこれら水域を互いに連通する取水・排水通路と、岸側の水域からプラント等に向けて水を汲み上げる取水ポンプと、を有している。
【先行技術文献】
【特許文献】
【０００４】
【特許文献１】特開２００２−２１２９３６号公報
【発明の概要】
【発明が解決しようとする課題】
【０００５】
しかしながら、上記特許文献１に記載された装置では、プラントの計画停止等に際して取水を中止すべく取水ポンプを停止する場合、取水ポンプの完全な停止まで長時間を要すると、岸側の水域から水があふれ出て周囲に拡散してしまう可能性がある。より詳細には、上記の取水・排水通路を流通している水には流通方向に向かって慣性力が働いていることから、岸側の水域に向かって流入し続けた結果、水域の容量を超えてしまう可能性がある。あふれ出た水がプラント設備本体に達した場合、プラントの運用に影響が及んでしまう。
【０００６】
本発明はこのような事情を考慮してなされたものであり、取水状況の変化に対する十分な応答性を備えた取水設備を提供することを目的とする。
【課題を解決するための手段】
【０００７】
上記課題を解決するため、本発明は以下の手段を採用している。
本発明の一態様に係る取水設備は、水を貯留可能な取水槽と、該取水槽に外部の水を導入し、上流側から下流側に向かって流通させる取水路と、駆動することで前記取水槽から水を排出するポンプと、前記取水路の流路断面積を調整する調整部と、前記ポンプの駆動停止に連動して、前記流路断面積が小さくなるように前記調整部を駆動させる連動部と、を備える。
【０００８】
上述のような構成によれば、ポンプの駆動停止に連動して調整部が駆動することで、取水路の流路断面積が小さくなる。すなわち、取水路を通じて外部から取水槽に流れこむ水の流量が減少するため、取水槽から水があふれ出る可能性を低減することができる。
【０００９】
本発明の一態様に係る取水設備では、前記調整部は、前記取水路の上下流方向と交差する面に沿って、自重によって移動可能に支持される仕切板と、前記移動方向における任意の位置で前記仕切板を係止することで係止状態とする第一係止部と、を備え、前記連動部は、前記ポンプの駆動停止に連動して、前記第一係止部における前記係止状態を解除するように構成されていてもよい。
【００１０】
上述のような構成によれば、ポンプの駆動停止に伴って、第一係止部による仕切板の係止状態が解除される。係止状態が解除された仕切板は、自重によってただちに下方へ移動する。これにより、取水路の流路断面積を短時間のうちに小さくすることができる。
【００１１】
本発明の一態様に係る取水設備では、前記調整部は、前記取水路の上側に設けられて、該取水路の上下流方向と交差する幅方向に延びる回転軸と、前記回転軸回りに回動可能に支持されて、前記取水路内に延びる板状をなすとともに、水圧を受ける受圧面を有し、前記受圧面が上流側を向くことで水圧を受ける受圧位置と、前記受圧面が前記上下流方向に延びる非受圧位置との間で遷移可能な回転弁と、前記回転弁を、前記非受圧位置で係止することで係止状態とする第二係止部と、を備え、前記連動部は、前記ポンプの駆動停止に連動して、前記第二係止部における前記係止状態を解除するように構成されていてもよい。
【００１２】
上述のような構成では、ポンプの駆動停止に伴って、第二係止部による回転弁の係止状態が解除される。係止状態が解除された回転弁は、自重によって回転軸回りに回転する。係止状態を脱した回転弁は、取水路中の水による水圧と、自身にはたらく重力とが均衡することで、受圧位置に留まる。これにより、取水路の流路断面積を小さくすることができる。
【００１３】
本発明の一態様に係る取水設備では、前記連動部は、前記取水槽と前記調整部とを連通することで、該調整部に前記取水槽の水を導く、前記取水路とは異なる連動流路を有し、前記調整部は、前記取水路に設けられて、該取水路中に出没可能なフラップと、前記連動流路を介して伝わる水圧を受けるとともに、該水圧によって前記フラップを駆動する受圧駆動部と、を有し、前記受圧駆動部は、予め定められた基準水圧以上の水圧を受けた場合に、前記フラップを駆動するように構成されてもよい。
【００１４】
上述のような構成では、ポンプが停止した場合、取水槽の水位は上昇する。これにより、連動流路を介して取水槽と連通された受圧駆動部が受ける水圧も、上昇した水位の分だけ大きくなる。この水圧が予め定められた基準水圧以上に達した場合、受圧駆動部がフラップを駆動する。これにより、取水路の流路断面積を小さくすることができる。
【発明の効果】
【００１５】
本発明によれば、取水状況の変化に対する十分な応答性を備えた取水設備を提供することができる。
【図面の簡単な説明】
【００１６】
【図１】本発明の第一実施形態に係る取水設備を示す図である。
【図２】本発明の第二実施形態に係る取水設備を示す図である。
【図３】本発明の第二実施形態に係る取水設備の変形例を示す図である。
【図４】本発明の第三実施形態に係る取水設備を示す図である。
【図５】本発明の第四実施形態に係る取水設備を示す図である。
【図６】本発明の第四実施形態に係る取水設備の要部拡大図である。
【図７】本発明の第四実施形態に係る取水設備の動作を示す図であって、（ａ）はカゴ部が展開された状態を示し、（ｂ）はカゴ部が格納された状態を示す。
【発明を実施するための形態】
【００１７】
［第一実施形態］
本発明の第一実施形態について、図面を参照して説明する。
図１に示すように、本実施形態に係る取水設備１００は、水を貯留可能な取水槽１と、この取水槽１に対して外部の水を導入する取水路２と、取水槽１に貯留された水を外部のプラント等に向けて排出（供給）するポンプ３と、を備えている。さらに、この取水設備１００は、取水路２の流路断面積を調整する複数の仕切板４１と、ポンプ３の駆動状態に連動してこれら仕切板４１の姿勢を変化させる連動部５と、を有している。
【００１８】
この取水設備１００は、火力発電設備等のプラント（不図示）に供給される水を、海洋や河川等の取水域Ａから取り込んだ後、一時的に貯留するために設けられる。取水槽１は、上記のプラントに隣接する陸上に埋設されている。すなわち、取水槽１の底面部Ｂは海抜下に位置している。底面部Ｂと対向する上側の面は開口されることで、大気に開放されている。
【００１９】
取水路２は、上記の取水槽１と取水域Ａとを連通する水路である。以下の説明では、この取水路２上から見て、取水域Ａが位置する側を上流側と呼び、取水槽１が位置する側を下流側と呼ぶ。すなわち、取水域Ａの水は、この取水路２中を上流側から下流側に向かって流通する。
【００２０】
取水路２は、取水域Ａの水面下に向けて開口する取水口（不図示）から取水槽１の側壁に設けられた流入口１１に向かっておおむね水平に延びている。この取水路２の流路断面積は、その延在長の全体にわたって一様とされている。これにより、取水域Ａ内の水が取水路２を介して取水槽１に向かって流れ込む。
【００２１】
取水槽１の内部には、水をプラントに向けて汲み上げるポンプ３が配置されている。詳しくは、このポンプ３は、取水槽１の底面部Ｂ付近に配置されることで水を吸い込む吸水口３１と、この吸水口３１に接続された送水管３２と、送水管３２内の水を圧送するポンプ本体３３と、を備えている。
【００２２】
本実施形態では、上記の送水管３２は吸水口３１から上方に向かって延びている。ポンプ本体３３は外部の駆動源によって駆動されることで、送水管３２内の水を圧送する。送水管３２はプラントの配管系統に接続されている。これにより、取水設備１００を通じて配管系統に水が供給される。
【００２３】
プラントの運転中は、ポンプ３は連続的に稼働される。一方で、プラント側のメンテナンス等に伴って取水を中断する場合がある。この場合、まずポンプ３（ポンプ本体３３）が駆動停止される。
【００２４】
ここで、取水路２中を流通している水には、自身の流動に伴って上流側から下流側に向かう慣性力が働いている。したがって、ポンプ３を駆動停止した後もなお、取水路２を通じて取水槽１に水が流れ込む。これにより、取水槽１の水位は上昇する傾向にある。水位の上昇が続いた場合、取水槽１から水があふれ出してしまう可能性がある。そこで、本実施形態に係る取水設備１００では、取水路２の流路断面積を調整するための調整部４としてのフラップ４３と、ポンプ３の駆動停止に伴ってこの調整部４を駆動する連動部５と、が設けられている。
【００２５】
図１に示すように、本実施形態に係る取水設備１００は、複数の調整部４を備えている。それぞれの調整部４は、取水路２の壁面に設けられた回転軸Ｏと、この回転軸Ｏ回りに回動可能なフラップ４３と、を有している。回転軸Ｏは、取水路２の壁面上で該取水路２の幅方向に延びている。この幅方向とは、取水路２の上下流方向に交差する方向を指す。
【００２６】
フラップ４３は、この回転軸Ｏから取水路２内に向かって延びる板状の部材である。すなわち、このフラップ４３が取水路２中に展開された時、その両面は上記の上下流方向にそれぞれ対向する。ここで、フラップ４３が取水路２の壁面に対しておおむね直角をなしている状態を展開状態と呼ぶ。さらに、フラップ４３が上記の展開状態から上流側に向かって回転軸Ｏ回りにおおむね９０°回動した状態を格納状態と呼ぶ。すなわち、この格納状態では、フラップ４３は取水路２の壁面に沿って、回転軸Ｏから上流側に向かって延びている。
【００２７】
さらに、回転軸Ｏには不図示の回転駆動源が設けられている。この回転駆動源としては電動モータ等が好適に用いられる。すなわち、フラップ４３は外部から供給された電力によって回転軸Ｏ回りに回転することができる。
【００２８】
本実施形態における連動部５は、ポンプ本体３３の駆動状態を検知する検知部５１と、この検知部５１からの電気信号に基づいて、上記の回転駆動源に電力を供給する電力制御部５２と、を有している。検知部５１は例えばポンプ本体３３に設けられることで、その駆動状態の変化を検知する。例えばポンプ本体３３が停止された時点、及びポンプ本体３３が再び駆動された時点に、電力制御部５２に対して電気信号を送出する。これらの電気信号に基づいて電力制御部５２はポンプ本体３３の駆動状態、又は停止状態を判別した後、回転軸Ｏ（回転駆動源）への電力供給を制御する。
【００２９】
ポンプ３が駆動されている時、上記複数のフラップ４３はいずれも格納状態で保持されている。すなわち、フラップ４３が格納状態にある場合、取水路２の流路断面積は最も大きな状態となる。なお、ここで、取水路２の流路断面積とは、取水路２を上下流方向から見た場合における、水が流通可能な領域の面積を指している。
【００３０】
一方で、ポンプ３が停止された場合、電力制御部５２によって回転軸Ｏが駆動される。これにより、それぞれのフラップ４３は上述の格納状態から展開状態に遷移する。フラップ４３が展開状態となることで、取水路２の流路断面積は小さくなる。特に、フラップ４３の一方側の面が上流方向を向いた状態となるため、取水路２中の水に対する流動抵抗が生じる。
【００３１】
したがって、ポンプ３の停止後に、慣性力によって上流側から下流側に流動していた水は、上記の流動抵抗を受けることで、流速が減少する。すなわち、取水路２を経て取水槽１に流入する水の流量が減少する。さらに一定の時間をかけて上記の慣性力は減衰する。最終的に取水路２中の水はおおむね静止する。これにより、取水槽１の水位上昇がおおむね終息する。
【００３２】
以上説明したように、本実施形態に係る取水設備１００では、ポンプ３の駆動停止に連動してフラップ４３が展開状態となることで、取水路２の流路断面積が小さくなる。流路断面積の減少に伴って、取水路２を通じて外部から取水槽１に流れこむ水の流量が減少する。これにより、取水槽１から水があふれ出る可能性を低減することができる。
【００３３】
特に、上記の取水設備１００は、連動部５を備えていることから、ポンプ３の状態変化（駆動停止）が、電力制御部５２を介して即時に回転駆動源に伝達される。これにより、ポンプ３の停止に対して、十分な応答性をもってフラップ４３を展開することができる。
【００３４】
ところで、上記のように、取水路２中の水に働く慣性力を減少させるに当たっては、取水路２の全長を長く確保することによる自然な減衰を期待する構成が一般的とされる。
しかしながら、本実施形態に係る取水設備１００では、調整部４によって取水路２中を流通する水の慣性力を積極的に減少させることができる。すなわち、取水路２の全長が短い場合であっても、上記した効果を十分に得ることができる。したがって、この取水設備１００は、プラントの周辺における用地が限定的な場合であっても、比較的容易に適用することができる。
【００３５】
［第二実施形態］
次に、本発明の第二実施形態について、図２を参照して説明する。なお、上記の第一実施形態と同様の構成については同一の符号を付し、詳細な説明を省略する。図２に示すように、本実施形態に係る取水設備１００では、調整部４として、取水槽１の流入口１１に設けられた仕切板４１が設けられている。さらに、この取水設備１００は、ポンプ３の駆動中にわたって仕切板４１を係止する係止部６（第一係止部６１）を有している。
【００３６】
仕切板４１は、流入口１１において上下流方向に交差する面に沿って移動可能に支持されている。仕切板４１の高さ寸法は、流入口１１の高さ寸法よりも小さく設定されている。
【００３７】
係止部６は、流入口１１の上部に設けられることで、仕切板４１の一部を係合支持する装置である。詳細には図示しないが、このような装置としては、外部からの電気信号に基づいて進退動する係止ピンなどが考えられる。さらに、仕切板４１の一部には、この係止ピンが係合する係合孔（不図示）が設けられる。これら係止ピンと係合孔とが互いに係合することにより、仕切板４１は流入口１１の上部で係止される。
【００３８】
仕切板４１が係止状態にある時には、流入口１１は全体にわたって開放されている。すなわち、このときの流路断面積は最も大きくなる。これにより、取水路２を通じて取水槽１に水が流入する状態となる。
【００３９】
一方で、ポンプ３が停止した場合には、上述の第一実施形態と同様に、連動部５から送出された電気信号に基づいて、係止部６による仕切板４１の係止状態が解除される。係止状態が解除された仕切板４１は、自重によって下方に移動（落下）する。この結果、仕切板４１は流入口１１の一部を閉塞する。すなわち、仕切板４１によって取水路２の流路断面積が小さくなる。流路断面積の減少に伴って、取水路２を通じて外部から取水槽１に流れこむ水の流量が減少する。これにより、取水槽１から水があふれ出る可能性を低減することができる。
【００４０】
以上、本発明の第二実施形態に係る取水設備１００について図面を参照して説明した。なお、上記の実施形態は一例であって、種々の変更を施すことが可能である。
【００４１】
例えば、上記第二実施形態における取水設備１００の変形例として、図３に示す構成が考えられる。同図に示すように、この取水設備１００は、調整部４としての回転弁４２と、この回転弁４２を係止状態で係止する第二係止部６２と、を有している。
【００４２】
回転弁４２は、上記した仕切板４１と同様に、板状に形成されるとともに、取水路２中に出没することでその流路断面積を調整する部材である。取水路２上部の内壁には、この回転弁４２が格納される格納凹部９１が形成されている。
【００４３】
回転弁４２の上流側の端部は、格納凹部９１の端部に設けられた回転軸Ｏによって回転可能に支持されている。さらに、回転弁４２の下流側の端部には、第二係止部６２としてのウインチ６２Ａから延びるチェーン６２Ｂが接続されている。ウインチ６２Ａは、このチェーン６２Ｂを進退動させることで、回転弁４２を回転軸Ｏ回りに回動させることができる。具体的には、ウインチ６２Ａからチェーン６２Ｂを巻き出すことで、回転弁４２は自重によって回転軸Ｏ回りに回動し、取水路２の一部に露出する。
【００４４】
回転弁４２の両面のうち、上記の状態において上流側を向く面は受圧面Ｓ１とされている。この受圧面Ｓ１には、取水路２中を流通する水による水圧が加わる。この時、回転弁４２は、受圧面Ｓ１に加わる水圧と、自重とが均衡することによって、取水路２中で上下流方向に対して一定の角度をなしておおむね静止する。すなわち、回転弁４２は上下流方向に対して傾斜した状態で維持される。この時の回転弁４２の位置を、受圧位置Ｐ１と呼ぶ。
【００４５】
一方で、チェーン６２Ｂを巻き取った場合には、回転弁４２は上記の巻出し時とは反対の方向に回動し、格納凹部９１に格納されて、係止状態となる。この係止状態における回転弁４２には、取水路２中の水流による水圧が付加されない。この位置を非受圧位置Ｐ２と呼ぶ。すなわち、回転弁４２は、この非受圧位置Ｐ２と上記の受圧位置Ｐ１との間で遷移可能とされている。
【００４６】
以上のような構成によれば、ポンプ３の駆動停止に伴って、第二係止部６２による回転弁４２の係止状態が解除される。係止状態が解除された回転弁４２は、自重によって回転軸Ｏ回りに回動する。係止状態を脱した回転弁４２は、取水路２中の水による水圧と、自身にはたらく重力とが均衡することで、受圧位置Ｐ１に留まる。これにより、取水路２の流路断面積を小さくすることができる。流路断面積の減少に伴って、取水路２を通じて外部から取水槽１に流れこむ水の流量が減少する。これにより、取水槽１から水があふれ出る可能性を低減することができる。
【００４７】
［第三実施形態］
次に、本発明の第三実施形態に係る取水設備１００について、図４を参照して説明する。同図に示すように、本実施形態に係る取水設備１００では、調整部４としてのフラップ４３が、取水路２の下部壁面に設けられている。このフラップ４３は、板状のフラップ本体４３Ａと、外部からの水圧を受けてこのフラップ本体４３Ａを駆動する受圧駆動部４３Ｂと、を有している。
【００４８】
フラップ本体４３Ａは、壁面上で取水路２の幅方向に延びる回転軸Ｏによって回転可能に支持されている。すなわち、フラップ本体４３Ａは、回転軸Ｏ回りに回動することで取水路２中に出没可能とされている。さらに、取水路２の下部壁面に形成された凹溝状のフラップ収容溝９２が設けられている。フラップ本体４３Ａが取水路２中に露出した状態にある時、フラップ本体４３Ａの下端から回転軸Ｏにかけての部分（受圧駆動部４３Ｂ）は、このフラップ収容溝９２内に位置している。
【００４９】
受圧駆動部４３Ｂは、上記フラップ本体４３Ａと一体に形成されている。詳しくは、この受圧駆動部４３Ｂは、回転軸Ｏを挟んでフラップ本体４３Ａと反対の方向に延びる板状をなしている。この受圧駆動部４３Ｂは、後述する連動流路５３から供給された取水槽１の水の一部による水圧を受けるように配置されている。
【００５０】
フラップ収容溝９２は、取水槽１の壁面に形成された開口部１２に連通されている。なお、この開口部１２は、取水槽１における流入口１１とは別に設けられている。フラップ４３部と開口部１２とを連通する流路は連動流路５３（連動部５）とされている。連動流路５３内は、取水槽１内の水の一部で満たされている。なお、この連動流路５３も上述の取水路２とは異なる別の流路である。
【００５１】
以上のように、取水槽１と調整部４としてのフラップ４３を連通する連動流路５３により、該フラップ４３に取水槽１の水をフラップ収容溝９２に導くことができる。フラップ収容溝９２に導かれた水は、フラップ４３における受圧駆動部４３Ｂに対して水圧を付加する。取水槽１の水位が上昇し、この水圧が予め定められた基準水圧以上になった場合、フラップ４３は回転軸Ｏ回りに回動して、取水路２中に露出する。言い換えると、受圧駆動部４３Ｂは、自身が受ける水圧が、上記の基準水圧未満である場合に、フラップ４３の回動を規制している。
【００５２】
以上のように、フラップ４３が回動して取水路２中に露出することにより、取水路２の流路断面積を小さくすることができる。流路断面積の減少に伴って、取水路２を通じて外部から取水槽１に流れこむ水の流量が減少する。これにより、取水槽１から水があふれ出る可能性を低減することができる。
【００５３】
［第四実施形態］
続いて、本発明の第四実施形態に係る取水設備１００について図５から図７を参照して説明する。図５に示すように、本実施形態の取水設備１００では、取水槽１の流入口１１に、調整部４としてのスクリーン４４が設けられている。このスクリーン４４は、流入口１１を上下流方向に遮るようにして配置される。
【００５４】
より詳細には図６に示すように、このスクリーン４４は、流入口１１の上部、及び下部にそれぞれ設けられて、取水路２の幅方向に延びる２つの回転軸Ｏ回りに回動する回動部４６と、これら回動部４６にわたって架け渡された格子状の網目（開口）を有するスクリーン本体４５と、このスクリーン本体４５の表面に取り付けられた複数のカゴ部４７と、を有している。
【００５５】
２つの回動部４６は不図示の駆動源によって互いに同一の方向に回転される。スクリーン本体４５は、これら回動部４６の外周面に係合された状態で保持される。すなわち、回動部４６の回転運動は、即時にスクリーン本体４５に伝達されて、該スクリーン本体４５をおおむね上下方向に延びる面内で移動させる。
【００５６】
具体的には、回動部４６は、スクリーン本体４５の上下流方向を向く両面のうち、上流側の面が、下方から上方に向かって移動するように回転駆動される。
【００５７】
スクリーン本体４５の表面には、有底箱状のカゴ部４７が間隔をあけて複数配列されている。これらカゴ部４７は、スクリーン本体４５の上流側の面によって捕捉された異物等を溜めるために設けられている。より詳細には、それぞれのカゴ部４７は、スクリーン本体４５の幅方向（すなわち、回動部４６の回転軸Ｏとおおむね平行な方向）に延びる支持軸４８回りに回動可能に支持されている。このカゴ部４７の回動は、不図示の制御装置５４（連動部５）によって制御されている。これにより、カゴ部４７は、図７（ａ）と図７（ｂ）に示すように、その開口を上方に向けた状態と、開口をスクリーン本体４５の表面に対向させた状態との間を遷移可能とされる。
【００５８】
図７（ａ）に示すような状態（展開状態）にあるとき、スクリーン本体４５の表面においてカゴ部４７が設けられていない領域は、上下流方向に向けて水を透過可能となっている。一方で、図７（ｂ）に示すような状態（格納状態）にあるときは、カゴ部４７がスクリーン本体４５の表面を塞いでいる。すなわち、この状態にあっては、スクリーン本体４５は水を透過することができない。
【００５９】
ところで、このスクリーン本体４５の上方、すなわち上側に位置する回動部４６の近傍には、コンベヤー７が設けられている。カゴ部４７に溜められた不要物は、回動部４６の回動に伴って上方に移動したのち、このコンベヤー７によって外部の処理設備等に移送される。
【００６０】
上記のような構成によれば、ポンプ３の駆動停止に伴って、連動部５としての制御装置５４がそれぞれのカゴ部４７を一定の角度だけ回動させる。これにより、調整部４としてのスクリーン４４部における水の透過量が調整される。言い換えると、上記の構成により、取水路２の流路断面積を小さくする方向に調整することができる。
【００６１】
したがって、上記の構成によれば、流路断面積の減少に伴って、取水路２を通じて外部から取水槽１に流れこむ水の流量が減少する。これにより、取水槽１から水があふれ出る可能性を低減することができる。
【符号の説明】
【００６２】
１…取水槽  ２…取水路  ３…ポンプ  ４…調整部  ５…連動部  ６…係止部  １１…流入口  １２…開口部  ３１…吸水口  ３２…送水管  ３３…ポンプ本体  ４１…仕切板  ４２…回転弁  ４３…フラップ  ４３Ａ…フラップ本体  ４３Ｂ…受圧駆動部  ４４…スクリーン  ４５…スクリーン本体  ４６…回動部  ４７…カゴ部  ４８…支持軸  ５１…検知部  ５２…電力制御部  ５３…連動流路  ５４…制御装置  ６１…第一係止部  ６２…第二係止部  ６２Ａ…ウインチ  ６２Ｂ…チェーン  ９１…格納凹部  ９２…フラップ収容溝  １００…取水設備  Ａ…取水域  Ｂ…底面部  Ｏ…回転軸  Ｐ１…受圧位置  Ｐ２…非受圧位置  Ｓ１…受圧面
【図１】
2016156168.tif 000003
【図２】
2016156168.tif 000004
【図３】
2016156168.tif 000005
【図４】
2016156168.tif 000006
【図５】
2016156168.tif 000007
【図６】
2016156168.tif 000008
【図７】
2016156168.tif 000009